(57)【要約】【課題】節電情報を認識することが可能なプロジェクターを提供する。【解決手段】プロジェクター１は、輝度設定値が設定される輝度設定部（制御部２０）と、輝度設定部に設定された輝度設定値に応じた輝度で発光する光源（光源ランプ１１ａ）と、光源から射出された光を画像情報に応じて画像光に変調して投写する画像投写部１０と、開始時点が設定される開始時点設定部（制御部２０）と、開始時点からの光源の消費電力の平均を、平均消費電力として算出する平均消費電力算出部（消費電力算出部２２ａ）と、設定可能な最高輝度の輝度設定値に応じた消費電力を、高輝度消費電力として算出する高輝度消費電力算出部（消費電力算出部２２ａ）と、高輝度消費電力に対する平均消費電力の比率を比率情報として算出する比率算出部（消費電力算出部２２ａ）と、比率情報を画像情報に重畳して表示する比率表示部（ＯＳＤ処理部３２）と、を備える。【選択図】図１
2014203060.tif 000002
【特許請求の範囲】
【請求項１】
輝度設定値が設定される輝度設定部と、
前記輝度設定部に設定された前記輝度設定値に応じた輝度で発光する光源と、
前記光源から射出された光を画像情報に応じて画像光に変調して投写する画像投写部と、
開始時点が設定される開始時点設定部と、
前記開始時点からの前記光源の消費電力の平均を、平均消費電力として算出する平均消費電力算出部と、
設定可能な最高輝度の輝度設定値に応じた消費電力を、高輝度消費電力として算出する高輝度消費電力算出部と、
前記高輝度消費電力に対する前記平均消費電力の比率を比率情報として算出する比率算出部と、
前記比率情報を前記画像情報に重畳して表示する比率表示部と、
を備えることを特徴とするプロジェクター。
【請求項２】
請求項１に記載のプロジェクターであって、
前記比率情報を記憶する比率情報記憶部をさらに備えることを特徴とするプロジェクター。
【請求項３】
請求項２に記載のプロジェクターであって、
前記光源が点灯された後に、所定の初期画像を表示する初期画像表示部をさらに備え、
前記比率表示部は、前記所定の初期画像の画像情報に、前記比率情報記憶部に記憶された前記比率情報を重畳して表示することを特徴とするプロジェクター。
【請求項４】
請求項１に記載のプロジェクターであって、
前記光源が点灯された後に、所定の初期画像を表示する初期画像表示部と、
前記所定の初期画像の画像情報に、前記輝度設定部に設定された前記光源の前記輝度設定値を重畳して表示する輝度表示部と、
をさらに備えることを特徴とするプロジェクター。
【請求項５】
請求項１乃至４のいずれか一項に記載のプロジェクターであって、
前記比率算出部が算出した前記比率情報が、所定の値以下となった場合に、前記画像情報に、所定の画像を重畳して表示する所定画像表示部をさらに備えることを特徴とするプロジェクター。
【請求項６】
請求項５に記載のプロジェクターであって、
前記所定画像表示部は、前記所定の画像を、所定の時間表示することを特徴とするプロジェクター。
【請求項７】
輝度設定部に設定された輝度設定値に応じた輝度で発光する光源と、前記光源から射出された光を画像情報に応じて画像光に変調して投写する画像投写部と、を備えたプロジェクターの制御方法であって、
前記輝度設定値を設定する輝度設定ステップと、
開始時点を設定する開始時点設定ステップと、
前記開始時点からの前記光源の消費電力の平均を、平均消費電力として算出する平均消費電力算出ステップと、
設定可能な最高輝度の輝度設定値に応じた消費電力を、高輝度消費電力として算出する高輝度消費電力算出ステップと、
前記高輝度消費電力に対する前記平均消費電力の比率を比率情報として算出する比率算出ステップと、
前記比率情報を前記画像情報に重畳して表示する比率表示ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、画像表示装置全体を制御する主制御系、および、主制御系を補助する副制御系を備え、副制御系は、主制御系の状態遷移時（例えば、停止状態から起動状態への遷移）に、当該主制御系の動作状態を報知手段に報知させる画像表示装置（プロジェクター）が開示されている（特許文献１）。このような画像表示装置によれば、ユーザーは、画像表示装置の動作状態を確認することができる。
【先行技術文献】
【特許文献】
【０００３】
【特許文献１】特開２００６−３０１３００号公報
【発明の概要】
【発明が解決しようとする課題】
【０００４】
近年、節電（省電力）に関するユーザーの意識は高くなっている。しかしながら、従来のプロジェクターでは、ユーザーは、節電に関する状態（情報）を確認することが難しかった。例えば、消費電力に関する情報を知ることができない場合が多かった。また、節電（消費電力の低減）をするための設定についても、メニュー画像を表示させ、項目を確認しないと分からない場合が多かった。このように、ユーザーは、節電情報を認識することが困難であった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、輝度設定値が設定される輝度設定部と、前記輝度設定部に設定された前記輝度設定値に応じた輝度で発光する光源と、前記光源から射出された光を画像情報に応じて画像光に変調して投写する画像投写部と、開始時点が設定される開始時点設定部と、前記開始時点からの前記光源の消費電力の平均を、平均消費電力として算出する平均消費電力算出部と、設定可能な最高輝度の輝度設定値に応じた消費電力を、高輝度消費電力として算出する高輝度消費電力算出部と、前記高輝度消費電力に対する前記平均消費電力の比率を比率情報として算出する比率算出部と、前記比率情報を前記画像情報に重畳して表示する比率表示部と、を備えることを特徴とする。
【０００７】
このようなプロジェクターによれば、光源は、輝度設定部に設定された輝度設定値に応じた輝度で発光する。平均消費電力算出部は、開始時点からの消費電力の平均を、平均消費電力として算出する。高輝度消費電力算出部は、最高輝度の輝度設定値に応じた消費電力を高輝度消費電力として算出する。比率算出部は、高輝度消費電力に対する平均消費電力の比率情報を算出する。比率表示部は、比率算出部が算出した比率情報を画像情報に重畳して表示する。これにより、ユーザーは、光源の消費電力の比率を認識することが可能になる。
【０００８】
［適用例２］上記適用例に係るプロジェクターにおいて、前記比率情報を記憶する比率情報記憶部をさらに備えることを特徴とする。
【０００９】
このようなプロジェクターによれば、記憶された比率情報を読み出して表示することが可能になる。
【００１０】
［適用例３］上記適用例に係るプロジェクターにおいて、前記光源が点灯された後に、所定の初期画像を表示する初期画像表示部をさらに備え、前記比率表示部は、前記所定の初期画像の画像情報に、前記比率情報記憶部に記憶された前記比率情報を重畳して表示することを特徴とする。
【００１１】
このようなプロジェクターによれば、比率表示部は、所定の初期画像の画像情報に、比率情報を重畳して表示する。これにより、ユーザーは、所定の初期画像において、高輝度消費電力に対する平均消費電力の比率を認識することができる。
【００１２】
［適用例４］上記適用例に係るプロジェクターにおいて、前記光源が点灯された後に、所定の初期画像を表示する初期画像表示部と、前記所定の初期画像の画像情報に、前記輝度設定部に設定された前記光源の前記輝度設定値を重畳して表示する輝度表示部と、をさらに備えることを特徴とする。
【００１３】
このようなプロジェクターによれば、輝度表示部は、輝度設定部によって設定された光源の輝度設定値を、所定の初期画像の画像情報に重畳して表示する。これにより、ユーザーは、所定の初期画像において、光源の輝度設定値を認識することができる。
【００１４】
［適用例５］上記適用例に係るプロジェクターにおいて、前記比率算出部が算出した前記比率情報が、所定の値以下となった場合に、前記画像情報に、所定の画像を重畳して表示する所定画像表示部をさらに備えることを特徴とする。
【００１５】
このようなプロジェクターによれば、所定画像表示部は、比率算出部が算出した比率情報が、所定の値以下となった場合に、画像情報に、所定の画像を重畳して表示する。これにより、ユーザーは、高輝度消費電力に対する平均消費電力の比率が所定の値以下となったことを認識することができる。
【００１６】
［適用例６］上記適用例に係るプロジェクターにおいて、前記所定画像表示部は、前記所定の画像を、所定の時間表示することを特徴とする。
【００１７】
このようなプロジェクターによれば、所定画像表示部は、所定の画像を、所定の時間表示する。これにより、画像情報に基づく画像を、所定の画像によって遮る時間を限定することができる。
【００１８】
［適用例７］本適用例に係るプロジェクターの制御方法は、輝度設定部に設定された輝度設定値に応じた輝度で発光する光源と、前記光源から射出された光を画像情報に応じて画像光に変調して投写する画像投写部と、を備えたプロジェクターの制御方法であって、前記輝度設定値を設定する輝度設定ステップと、開始時点を設定する開始時点設定ステップと、前記開始時点からの前記光源の消費電力の平均を、平均消費電力として算出する平均消費電力算出ステップと、設定可能な最高輝度の輝度設定値に応じた消費電力を、高輝度消費電力として算出する高輝度消費電力算出ステップと、前記高輝度消費電力に対する前記平均消費電力の比率を比率情報として算出する比率算出ステップと、前記比率情報を前記画像情報に重畳して表示する比率表示ステップと、を備えることを特徴とする。
【００１９】
このようなプロジェクターの制御方法によれば、ユーザーは、光源の消費電力の比率を認識することが可能になる。
【００２０】
また、上述したプロジェクター、およびプロジェクターの制御方法が、プロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、不揮発性メモリーカード、プロジェクターの内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００２１】
【図１】実施形態に係るプロジェクターの概略構成を示すブロック図。
【図２】光源装置の消費電力の変化の例を表すグラフ。
【図３】プロジェクターの光源ランプ点灯後の処理のフローチャート。
【図４】スタート画像の説明図。
【図５】節電指数が表示された入力画像の説明図。
【図６】達成メッセージが表示された入力画像の説明図。
【発明を実施するための形態】
【００２２】
（実施形態）
以下、実施形態として、節電情報を通知するプロジェクターについて説明する。
【００２３】
図１は、本実施形態に係るプロジェクターの概略構成を示すブロック図である。
図１に示すように、プロジェクター１は、画像投写部１０、制御部２０、操作パネル２１、光源制御部２２、画像情報入力部３０、画像処理部３１、ＯＳＤ処理部３２等を備えている。
【００２４】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００２５】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２６】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００２７】
制御部２０は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１の動作を統括制御する。本実施形態では、制御部２０は、不揮発性のＲＯＭとして、ＦｌａｓｈＲＯＭ（図示せず）を備えている。ＦｌａｓｈＲＯＭは、制御プログラムに加えて、各種データの記憶を行う。また、制御部２０は、タイマー（図示せず）を内蔵しており、計時を行う。
【００２８】
操作パネル２１は、ユーザーのキー操作を受け付ける操作受付部であり、ユーザーがプロジェクター１に対して各種指示を行うための複数の操作キーを備えている。本実施形態の操作パネル２１が備える操作キーとしては、電源のオン・オフを切り替えるための電源キー、入力された画像情報を切り替えるための入力切替キー、各種設定用のメニュー画像を表示させるメニューキー、メニュー画像における項目の選択等に用いられる方向キー、選択した項目を確定させるための決定キー等がある。
【００２９】
ユーザーが操作パネル２１の各種操作キーを操作すると、操作パネル２１は、この操作を受け付けて、操作された操作キーに対応する制御信号を制御部２０に出力する。そして、制御部２０は、操作パネル２１から制御信号が入力されると、入力された制御信号に基づく処理を行って、プロジェクター１の動作を制御する。なお、操作パネル２１の代わりに、あるいは操作パネル２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００３０】
光源制御部２２は、制御部２０の指示に基づいて、光源装置１１に対する電力の供給と停止とを制御し、光源ランプ１１ａの点灯および消灯を切り替える。さらに、制御部２０の指示に基づいて、光源ランプ１１ａの輝度を切り替える。また、光源制御部２２は、消費電力算出部２２ａを有している。
【００３１】
消費電力算出部２２ａは、制御部２０からの指示により、光源装置１１の平均消費電力、高輝度消費電力、および高輝度消費電力に対する平均消費電力の比率情報を算出する。本実施形態では、平均消費電力を高輝度消費電力で除算した結果をパーセンテージ（百分率）にした値を電力指数と呼ぶ。また、電力指数を節電指数とも呼ぶ。そして、消費電力算出部２２ａは、算出した電力指数等の情報を、制御部２０に通知する。平均消費電力を算出する際の消費電力算出部２２ａが、平均消費電力算出部に相当し、高輝度消費電力を算出する際の消費電力算出部２２ａが、高輝度消費電力算出部に相当する。そして、比率情報である電力指数を算出する際の消費電力算出部２２ａが、比率算出部に相当する。
【００３２】
消費電力算出部２２ａは、光源装置１１の消費電力を算出する。具体的には、消費電力算出部２２ａは、プロジェクター１の設定用メニュー画像によって設定された輝度設定値に基づく、光源装置１１の消費電力を算出する。本実施形態では、メニュー画像によって設定可能な輝度設定値は３段階とし、高輝度は１００％、中輝度は７０％、低輝度は６０％の明るさとする。設定された輝度設定値は、制御部２０が有するＦｌａｓｈＲＯＭに記憶される。メニュー画像によって輝度設定値を設定し、記憶する際の制御部２０が、輝度設定部に相当する。
【００３３】
ここで、光源装置１１の消費電力について説明する。
図２は、光源装置１１の消費電力の変化の例を表すグラフである。
【００３４】
図２のグラフＷ１に示すように、プロジェクター１の光源装置１１は、高輝度消費電力ＷＨでｔ１時間使用され、低輝度消費電力ＷＬでｔ２時間使用され、中輝度消費電力ＷＭでｔ３時間使用されている。消費電力量は、当該グラフＷ１および、Ｘ軸（時間軸）、Ｙ軸（消費電力軸）で囲まれた領域の面積で表される。そして、消費電力の平均である平均消費電力Ｗ２は、当該面積（消費電力量）を開始時点ｔ０から現在時点ｔｎまでの時間（即ち、ｔ１＋ｔ２＋ｔ３時間）で除算することで算出することができる。
【００３５】
そして、平均消費電力Ｗ２を高輝度消費電力ＷＨで除算し、パーセンテージ（百分率）にすることで、開始時点ｔ０から現在時点ｔｎまでの消費電力の電力指数を算出することができる。また、前記グラフＷ１およびＸ軸、Ｙ軸で囲まれた面積によって表される消費電力量を、高輝度ＷＨで開始時点ｔ０から現在時点ｔｎまで使用された場合の消費電力量によって除算し、パーセンテージにすることで消費電力の電力指数を算出することもできる。なお、消費電力を算出開始するタイミングである開始時点ｔ０は、メニュー画像によって設定可能とする。つまり、ユーザーが、所望のタイミングで、開始時点ｔ０を設定することができる。開始時点ｔ０は、制御部２０が有するＦｌａｓｈＲＯＭに記憶される。開始時点ｔ０を設定し、記憶する際の制御部２０が、開始時点設定部に相当する。
【００３６】
図１に戻り、画像情報入力部３０は、複数の入力端子を備えており、これらの入力端子には、ビデオ再生装置やパーソナルコンピューター等、図示しない外部の画像供給装置から各種形式の画像情報が入力される。制御部２０からの指示に基づき、画像情報入力部３０は画像情報を選択し、選択した画像情報を画像処理部３１に出力する。
【００３７】
画像処理部３１は、画像情報入力部３０から入力される画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部３１は、制御部２０の指示に基づいて、変換した画像情報に対して、明るさ、コントラスト、シャープネス、色合い等の画質を調整するための画質調整処理等を行い、処理後の画像情報をＯＳＤ処理部３２に出力する。
【００３８】
ＯＳＤ処理部３２は、制御部２０の指示に基づいて、入力された画像情報に基づく画像（以降、「入力画像」と呼ぶ。）上に、メニュー画像やメッセージ画像等のＯＳＤ（オンスクリーンディスプレイ）画像を重畳して表示するための処理を行う。ＯＳＤ処理部３２は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部３２は、必要なＯＳＤ画像情報をＯＳＤメモリーから読み出し、入力画像上の所定の位置にＯＳＤ画像が重畳されるように、画像処理部３１から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部３２は、画像処理部３１から入力される画像情報を、そのまま液晶駆動部１４に出力する。
【００３９】
液晶駆動部１４が、ＯＳＤ処理部３２から入力される画像情報に従って液晶ライトバルブ１２Ｒ，１２Ｇ，１２Ｂを駆動すると、光源装置１１から射出された光は、液晶ライトバルブ１２Ｒ，１２Ｇ，１２Ｂによって画像情報に応じた画像光に変調され、この画像光が投写レンズ１３から投写される。
【００４０】
次に、プロジェクター１の光源ランプ１１ａ（光源装置１１）を点灯して、画像の投写を行う際の処理について説明する。
図３は、プロジェクター１の光源ランプ１１ａ点灯後の処理のフローチャートである。
【００４１】
電源キーが押下され、光源ランプ１１ａが点灯されると、制御部２０は、画像処理部３１に指示を出して、所定の初期画像であるスタート画像（初期表示画像）の表示を開始させる（ステップＳ１０１）。スタート画像を表示する画像処理部３１が、初期画像表示部に相当する。そして、制御部２０は、現在までの消費電力の電力指数の情報と現在の輝度設定値とを、制御部２０内のＦｌａｓｈＲＯＭ（不揮発性メモリー）から読み出す（ステップＳ１０２）。
【００４２】
制御部２０は、ＯＳＤ処理部３２に指示を出して、消費電力の節電指数（電力指数）と、電力指数に応じた指標と、輝度設定値とを、スタート画像に重畳表示させる（ステップＳ１０３）。節電指数（電力指数）を表示するＯＳＤ処理部３２が、比率表示部に相当し、輝度設定値を表示するＯＳＤ処理部３２が、輝度表示部に相当する。制御部２０は、光源ランプ１１ａの稼働時間（点灯時間）の計測を開始する（ステップＳ１０４）。
【００４３】
ここで、スタート画像について説明する。
図４は、スタート画像の説明図である。
【００４４】
図４に示すように、スタート画像Ｇ１には、「現在までの節電指数：７０％（良い）」という節電指数メッセージ画像Ｍ１が重畳表示されている。また、スタート画像Ｇ１には、「現在の輝度設定：中輝度」という輝度設定メッセージ画像Ｍ２が重畳表示されている。本実施形態では、電力指数（節電指数）に応じた指標としては、６０％〜６５％ならば「優秀」、６６％〜７０％ならば「良い」、７１％〜９５％ならば「あまり良くない」、９６％〜１００％ならば「良くない」と表示する。なお、これらの節電指数メッセージ画像Ｍ１および輝度設定メッセージ画像Ｍ２は、図示しないメニュー画像によって、それぞれ表示させるか否かを設定することが可能である。また、図４のスタート画像Ｇ１には、「スタート画像」という文字列が表されているが、スタート画像Ｇ１の表示は、このような文字列を表示するものに限定するものではない。
【００４５】
図３に戻り、制御部２０は、スタート画像Ｇ１の一定時間の表示が終了したか否かを判断する（ステップＳ１０５）。スタート画像Ｇ１の一定時間の表示が終了していなければ（ステップＳ１０５：ＮＯ）、ステップＳ１０５を繰り返す。本実施形態では、一定時間は３０秒とする。なお、一定時間は３０秒に限定するものではない。
【００４６】
スタート画像の一定時間の表示が終了したら（ステップＳ１０５：ＹＥＳ）、制御部２０は、画像情報入力部３０および画像処理部３１に指示を出して、入力画像の表示を開始させる（ステップＳ１０６）。即ち、画像投写部１０は、入力画像に応じた画像の投写を開始する。このとき、節電指数メッセージ画像Ｍ１および輝度設定メッセージ画像Ｍ２は、消去される。
【００４７】
制御部２０は、光源制御部２２の消費電力算出部２２ａに指示を出して、開始時点ｔ０から現在時点ｔｎまでの平均消費電力Ｗ２を算出させる（ステップＳ１０７）。さらに、制御部２０は、光源制御部２２の消費電力算出部２２ａに指示を出して、高輝度消費電力ＷＨを算出させる（ステップＳ１０８）。
【００４８】
制御部２０は、光源制御部２２の消費電力算出部２２ａに指示を出して、平均消費電力Ｗ２を高輝度消費電力ＷＨで除算し、パーセンテージ（百分率）にすることで、開始時点ｔ０から現在時点ｔｎまでの消費電力の電力指数を算出させる（ステップＳ１０９）。
【００４９】
制御部２０は、消費電力の電力指数、稼働時間、平均消費電力Ｗ２等の情報等をＦｌａｓｈＲＯＭに記憶させる（ステップＳ１１０）。電力指数（比率情報）をＦｌａｓｈＲＯＭに記憶する制御部２０が、比率情報記憶部に相当する。そして、制御部２０は、ＯＳＤ処理部３２に指示を出して、節電指数（電力指数）を入力画像に重畳表示させる（ステップＳ１１１）。
【００５０】
ここで、節電指数が表示された入力画像について説明する。
図５は、節電指数が表示された入力画像の説明図である。
【００５１】
図５に示すように、入力画像Ｇ２には、「節電指数：７０％」という節電指数メッセージ画像Ｍ３が表示されている。また、図示しないが、節電指数（電力指数）を円グラフ等で表現し、入力画像Ｇ２の隅に表示させてもよい。なお、これらの節電指数メッセージ画像Ｍ３や円グラフ等は、図示しない設定用メニュー画像によって表示させるか否かを設定することが可能である。さらに、節電指数メッセージ画像Ｍ３や円グラフ等を表示させるタイミングや表示時間についても、メニュー画像によって設定可能とする。例えば、所定のキー（メニューキー等）が押下された際に、５秒間表示するといった設定にすることができる。
【００５２】
図３に戻り、制御部２０は、電力指数が目標値以下になったか否かを判断する（ステップＳ１１２）。ここで、目標値とは、予め定められた電力指数のパーセンテージ（百分率）とする。目標値は、例えば、ユーザーが、図示しないメニュー画像によって、設定するものとする。本実施形態では、目標値を「７０％」とする。なお、目標値が所定の値に相当する。
【００５３】
電力指数が目標値以下になった場合（ステップＳ１１２：ＹＥＳ）、制御部２０は、ＯＳＤ処理部３２に指示を出して、入力画像に達成メッセージを一定時間重畳表示する（ステップＳ１１３）。本実施形態では、達成メッセージを重畳表示する一定時間は５秒とする。当該一定時間が、所定の時間に相当し、達成メッセージが所定の画像に相当し、達成メッセージを重畳表示するＯＳＤ処理部３２が、所定画像表示部に相当する。
【００５４】
ここで、達成メッセージが表示された入力画像について説明する。
図６は、達成メッセージが表示された入力画像の説明図である。
【００５５】
図６に示すように、入力画像Ｇ３には、「あなたは、３０％の節電を達成しました。」という達成メッセージ画像Ｍ４が表示されている。ここで、３０％とは、１００％から電力指数（７０％）を除算した値を示す。また、図示しないが、電力指数を円グラフ等で表現し、入力画像Ｇ３に表示させてもよい。なお、これらの達成メッセージ画像Ｍ４や円グラフ等は、図示しないメニュー画像によって表示させるか否かを設定することが可能である。
【００５６】
図３に戻り、当該処理では、ステップＳ１１３の次にはステップＳ１０７に移行する。また、電力指数が目標値以下でない場合（ステップＳ１１２：ＮＯ）、ステップＳ１０７に移行する。
【００５７】
上述した実施形態によれば、以下の効果が得られる。
（１）プロジェクター１の消費電力算出部２２ａは、設定された輝度設定値に応じた光源装置１１（光源ランプ１１ａ）の消費電力を算出する。そして、消費電力算出部２２ａは、光源ランプ１１ａが点灯されている時間について、輝度設定値の変化に応じた平均消費電力Ｗ２を算出する。さらに、消費電力算出部２２ａは、設定可能な高輝度の輝度設定値に応じた高輝度消費電力ＷＨを算出する。そして、平均消費電力Ｗ２を高輝度消費電力ＷＨで除算し、パーセンテージ（百分率）にすることで、開始時点ｔ０から現在時点ｔｎまでの消費電力の電力指数を算出する。そして、当該電力指数を節電指数としてスタート画像Ｇ１に表示する。これにより、ユーザーは、現在までの消費電力の電力指数（節電指数）を、入力画像が投写される前、つまりスタート画像Ｇ１の表示中に認識することができるため有益である。さらに、電力指数に応じた指標として、「優秀」、「良い」、「あまり良くない」、「良くない」といった表示を行うため、ユーザーの消費電力に対する意識を向上させることができる。
【００５８】
（２）プロジェクター１は、メニュー画像によって設定された輝度設定値を、スタート画像Ｇ１に重畳して表示する。これにより、ユーザーは、スタート画像Ｇ１において、光源ランプ１１ａの輝度設定値を認識することができるため、有益である。さらに、ユーザーは、確認した設定値に応じて、輝度設定値を変更し、消費電力の低減を図ることが可能になる。
【００５９】
（３）プロジェクター１は、電力指数、即ち節電指数を算出して、節電指数メッセージ画像Ｍ３として、入力画像上にリアルタイムで表示することが可能である。これにより、ユーザーは、リアルタイムで節電状態を認識することができるため、有益である。
【００６０】
（４）プロジェクター１は、電力指数が目標値以下になった場合に、入力画像に達成メッセージ画像Ｍ４を重畳して表示する。これにより、ユーザーは電力指数（節電指数）が目標値以下となったことを認識でき、達成感を得ることができる。
【００６１】
（５）プロジェクター１は、入力画像に表示した達成メッセージを５秒間表示する。これにより、入力画像の画像情報に基づく画像を達成メッセージによって遮る時間を限定することができる。
【００６２】
（６）プロジェクター１は、スタート画像Ｇ１において、節電指数メッセージ画像Ｍ１および輝度設定メッセージ画像Ｍ２を表示させるか否かを、メニュー画像によって設定することが可能である。また、プロジェクター１は、入力画像において、節電指数メッセージ画像Ｍ３や円グラフ等を表示させるか否かを、メニュー画像によって設定することが可能である。また、プロジェクター１は、入力画像において、達成メッセージ画像Ｍ４や円グラフ等を表示させるか否かを、メニュー画像によって設定することが可能である。このように、ユーザーの好みによって、電力指数に関する情報を画像に投写させるか否かを、メニュー画像によって設定することが可能であるため、有益である。
【００６３】
（７）プロジェクター１は、節電の目標値をメニュー画像によって、設定することができるため、ユーザーは、所望の目標値を設定することが可能であり、利便性が高い。
【００６４】
（８）プロジェクター１は、消費電力の測定を開始する開始タイミングを、メニュー画像によって設定可能である。つまり、ユーザーは、所望のタイミングで、開始時点ｔ０を設定することが可能になるため、利便性が向上する。
【００６５】
なお、上述した実施形態に限定されず、種々の変更や改良等を加えて実施することが可能である。変形例を以下に述べる。
【００６６】
（変形例１）上記実施形態では、入力画像に達成メッセージ画像Ｍ４を重畳表示する時間を５秒としているが、５秒に限定するものではない。５秒以上としてもよいし、５秒以下としてもよい。また、メニュー画像によって、達成メッセージを表示する時間を設定可能としてもよい。
【００６７】
（変形例２）上記実施形態では、メニュー画像によって設定可能な輝度設定値は３段階としているが、３段階に限定するものではない。２段階や、３段階以上としてもよい。
【００６８】
（変形例３）上記実施形態では、節電指数メッセージ画像Ｍ１や節電指数メッセージ画像Ｍ３において、節電指数（電力指数）をパーセンテージの数字で表すものとしたが、数字以外の図形等で節電指数（電力指数）を表現してもよい。
【００６９】
（変形例４）上記実施形態では、平均消費電力の算出、高輝度消費電力の算出、比率情報の算出を、消費電力算出部２２ａが行うものとしたが、消費電力算出部２２ａから消費電力の情報を入力して、制御部２０が算出するものとしてもよい。
【００７０】
（変形例５）上記実施形態では、光源装置１１は、放電型の光源ランプ１１ａを有して構成されているが、ＬＥＤ光源やレーザー等の固体光源や、その他の光源を用いることもできる。
【００７１】
（変形例６）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００７２】
１…プロジェクター、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作パネル、２２…光源制御部、２２ａ…消費電力算出部、３０…画像情報入力部、３１…画像処理部、３２…ＯＳＤ処理部。
【図１】
2014203060.tif 000003
【図２】
2014203060.tif 000004
【図３】
2014203060.tif 000005
【図４】
2014203060.tif 000006
【図５】
2014203060.tif 000007
【図６】
2014203060.tif 000008